(57)【要約】【課題】表示部によらない簡易な構成で装置の状態をユーザーに報知することを可能とする。【解決手段】読取ユニットと、読取ユニットを副走査方向に移動させる駆動部と、駆動部による駆動動作および発光部による発光動作を制御する動作制御部と、装置の状態を示すステータス情報を取得する取得部と、装置の外郭を構成する筐体とを備える。筐体の予め定められた箇所には、ステータス情報を示す文字または記号が印されている。動作制御部は、取得部がステータス情報を取得した場合に、当該取得したステータス情報を示す文字または記号が印された箇所に対応する位置に読取ユニットを駆動部に移動させるとともに、当該位置に読取ユニットが位置する状態で読取ユニットの発光部に光を照射させる。【選択図】図４
2016032218.tif 000002
【特許請求の範囲】
【請求項１】
本画像読取装置の外郭を構成する筐体と、
読み取り対象の原稿が載置されるコンタクトガラスと、
前記コンタクトガラスの一面側に開閉自在に設けられる原稿押さえ部材と、
前記コンタクトガラスの他面側に副走査方向に移動可能に設けられ、前記原稿にむけて光を照射する発光部および前記原稿で反射された反射光を受光する受光部を有する読取ユニットと、
前記読取ユニットを副走査方向に移動させる駆動部と、
前記駆動部による駆動動作および前記発光部による発光動作を制御する動作制御部と、
本画像読取装置または本画像読取装置に接続された装置の状態を示すステータス情報を取得する取得部と、を備え、
前記筐体の予め定められた箇所には、前記ステータス情報を示す文字または記号が印されており、
前記動作制御部は、前記取得部がステータス情報を取得した場合に、当該取得したステータス情報を示す文字または記号が印された箇所に対応する位置に前記読取ユニットを前記駆動部に移動させるとともに、当該位置に前記読取ユニットが位置する状態で前記発光部に光を照射させる、画像読取装置。
【請求項２】
前記動作制御部は、前記取得部が取得したステータス情報の種別に応じて、照射形態を異ならせて前記発光部に光を照射させる、請求項１に記載の画像読取装置。
【請求項３】
前記動作制御部は、前記発光部に点灯照射または点滅照射を行わせることで照射形態を異ならせる、請求項２に記載の画像読取装置。
【請求項４】
前記動作制御部は、前記文字または記号が印された箇所に対応する位置に前記読取ユニットを移動させて前記発光部に光を照射させる処理を行う場合に、前記読取ユニットが画像読取動作中において前記発光部に光を照射させる場合と照射形態を異ならせて前記発光部に光を照射させる、請求項１に記載の画像読取装置。
【請求項５】
前記動作制御部は、前記文字または記号が印された箇所に対応する位置に前記読取ユニットを移動させて前記発光部に光を照射させる処理を行う場合に、前記読取ユニットが画像読取動作中において前記発光部が照射する光よりも弱い強度の光を前記発光部に照射させることで照射形態を異ならせる、請求項４に記載の画像読取装置。
【請求項６】
前記動作制御部は、前記文字または記号が印された箇所に対応する位置に前記読取ユニットを移動させて前記発光部に光を照射させる処理を行う場合に、前記発光部の発光領域のうち主走査方向における前記文字または記号が印された箇所側の一端部の領域から前記発光部に光を照射させることで照射形態を異ならせる、請求項４に記載の画像読取装置。
【請求項７】
前記原稿押さえ部材が閉じられた状態で前記原稿押さえ部材に対向する前記筐体の一面に、異なるステータス情報を示す複数の文字または記号が副走査方向に沿って異なる位置上に間隔を隔てて印されている、請求項１に記載の画像読取装置。
【請求項８】
前記筐体には、前記原稿押さえ部材が閉じられた状態において前記読取ユニットが前記対応する位置に位置する場合に、前記発光部が照射した光の一部を装置外部に逃す開口部が設けられ、
前記筐体における前記開口部が形成された位置に対応する箇所には、前記ステータス情報を示す文字または記号が印されている、請求項１に記載の画像読取装置。
【請求項９】
前記動作制御部は、前記読取ユニットが画像読取動作中でない期間において、前記読取ユニットを前記ステータス情報を示す文字または記号が印された箇所に対応する位置に移動させる処理を実行する、請求項１に記載の画像読取装置。
【請求項１０】
前記取得部は、本画像読取装置に接続された画像形成装置における用紙残量を示す情報、トナー残量を示す情報、および、用紙ジャムの有無と用紙ジャムが発生した位置を示す情報のうち少なくとも１つの情報を前記ステータス情報として取得する、請求項１乃至請求項８の何れか１項に記載の画像読取装置。
【請求項１１】
請求項１乃至請求項１０の何れか１項に記載の画像読取装置と、
前記画像読取装置により読み取られた画像を用紙に形成する画像形成部と、を備え、
前記取得部は、前記画像読取装置の状態を示すステータス情報に加えて、本画像形成装置の状態を示すステータス情報を取得する、画像形成装置。
【発明の詳細な説明】
【技術分野】
【０００１】
本発明は、画像読取装置および当該画像読取装置を備える画像形成装置に関し、特に、装置の状態をユーザーに報知する技術に関する。
【背景技術】
【０００２】
スキャナー等の画像読取装置や当該画像読取装置を備えた画像形成装置では、一般に、液晶ディスプレイ（ＬＣＤ：Liquid Crystal Display）等の表示部が筐体の前面に設けられている。表示部には装置の状態を示すステータス情報が表示される（例えば特許文献１参照）。例えば、画像形成装置において紙詰まり等のジャムが発生した場合、ジャムが発生した旨やジャムが発生した位置が表示部に表示される。このように、表示部が設けられた画像読取装置や画像形成装置では、表示部にステータス情報を表示することでユーザーに対して装置の状態を報知している。
【先行技術文献】
【特許文献】
【０００３】
【特許文献１】特開２００３−８９２３７号公報
【発明の概要】
【発明が解決しようとする課題】
【０００４】
しかしながら、安価な低級機などでは、表示部が設けられていない場合がある。また、表示部が設けられている場合であっても、そのサイズが小さく、ステータス情報を表示するのに適さない場合がある。このため、紙詰まり等のジャムが発生した場合であっても、その旨をユーザーに対して報知することができない。
【０００５】
本発明は、上記の事情に鑑みなされたものであり、表示部によらない簡易な構成で装置の状態をユーザーに報知することを可能とすることを目的とする。
【課題を解決するための手段】
【０００６】
本発明の一局面にかかる画像読取装置は、本画像読取装置の外郭を構成する筐体と、読み取り対象の原稿が載置されるコンタクトガラスと、前記コンタクトガラスの一面側に開閉自在に設けられる原稿押さえ部材と、前記コンタクトガラスの他面側に副走査方向に移動可能に設けられ、前記原稿にむけて光を照射する発光部および前記原稿で反射された反射光を受光する受光部を有する読取ユニットと、前記読取ユニットを副走査方向に移動させる駆動部と、前記駆動部による駆動動作および前記発光部による発光動作を制御する動作制御部と、本画像読取装置または本画像読取装置に接続された装置の状態を示すステータス情報を取得する取得部と、を備え、前記筐体の予め定められた箇所には、前記ステータス情報を示す文字または記号が印されており、前記動作制御部は、前記取得部がステータス情報を取得した場合に、当該取得したステータス情報を示す文字または記号が印された箇所に対応する位置に前記読取ユニットを前記駆動部に移動させるとともに、当該位置に前記読取ユニットが位置する状態で前記発光部に光を照射させる、画像読取装置である。
【０００７】
また、本発明の別の一局面にかかる画像形成装置は、上記の画像読取装置と、画像読取装置により読み取られた画像を用紙に形成する画像形成部と、を備え、前記取得部は、前記画像読取装置の状態を示すステータス情報に加えて、本画像形成装置の状態を示すステータス情報を取得する、画像形成装置である。
【０００８】
上記の本発明によれば、表示部によらない簡易な構成で装置の状態をユーザーに報知することができる。
【図面の簡単な説明】
【０００９】
【図１】本発明の一実施形態にかかる画像読取装置を備えた画像形成装置を示す斜視図である。
【図２】本発明の一実施形態にかかる画像読取装置を備えた画像形成装置の内部構成を示すブロック図である。
【図３】本発明の一実施形態にかかる画像読取装置の構造を示す断面図である。
【図４】本発明の一実施形態にかかる原稿搬送部が開かれた状態における画像読取部を示す斜視図である。
【図５】本発明の一実施形態にかかる画像読取装置を備えた画像形成装置のステータス情報報知処理の流れを示すフローチャートである。
【図６】、変形例３にかかる画像読取装置を備えた画像形成装置を示す斜視図である。
【図７】変形例４にかかる画像読取装置を備えた画像形成装置を示す斜視図である。
【発明を実施するための形態】
【００１０】
以下、本発明の一実施形態にかかる画像読取装置およびこれを備えた画像形成装置について図面を参照して説明する。図１は、本発明の一実施形態にかかる画像読取装置を備えた画像形成装置を示す斜視図である。図２は、本発明の一実施形態にかかる画像読取装置を備えた画像形成装置の内部構成を示すブロック図である。
【００１１】
画像形成装置１は、ファクシミリ通信機能、コピー機能、プリンター機能、およびスキャナー機能等の複数の機能を兼ね備えた複合機である。図１に示すように、画像形成装置１は、装置本体８０と、装置本体８０の上方に配置された画像読取装置１０とから概略構成される。
【００１２】
装置本体８０の外郭を構成する筐体８１の内部には、給紙部８２、用紙搬送部８３、および画像形成部８４等が収容されている。
【００１３】
給紙部８２は、用紙を収容する給紙カセット（不図示）と、当該給紙カセットに収容された用紙を筐体８１の内部に設けられた用紙搬送路に向けて繰り出す繰出ローラー（不図示）とを備えている。給紙カセット内には、用紙残量検出センサー８２１が設けられている。用紙残量検出センサー８２１は、例えば、発光素子と受光素子とを有する反射型のセンサーであって、その主出射方向が給紙カセット内に収容されている用紙に向けて配置されている。発光素子から出射され用紙で反射した光は、受光素子により受光される。用紙残量検出センサー８２１は、受光素子が受光した光の光量に応じた信号を後述する制御ユニット１００の取得部１０３に出力する。
【００１４】
用紙搬送部８３は、用紙搬送路に沿った複数箇所に設けられた複数の搬送ローラー対（不図示）と、当該搬送ローラー対を回転駆動する駆動部（不図示）とを備え、給紙部８２から給紙された用紙を画像形成部８４に向けて搬送する。また、用紙搬送部８３は、用紙搬送路に沿った複数箇所に複数のジャム検出センサー８３１を備えている。ジャム検出センサー８３１は、既述の用紙残量検出センサー８２１と同様に、例えば反射型のセンサーであって、その主出射方向が用紙搬送路中の予め定められた位置に向けて配置されている。用紙搬送路を挟んでジャム検出センサー８３１と対向する位置には反射ミラーが設けられており、用紙搬送路中の予め定められた位置に用紙が存在しないときには、発光素子から出射された光が反射ミラーで反射されて受光素子により受光される。一方、用紙搬送路中の予め定められた位置に用紙が存在するときには、発光素子から出射された光が用紙に遮られて受光素子に光が受光されない。ジャム検出センサー８３１は、受光素子が受光する光の有無に応じた信号を取得部１０３に出力する。
【００１５】
画像形成部８４は、感光体ドラム（不図示）、帯電装置（不図示）、露光装置（不図示）、および現像装置（不図示）等を備え、帯電、露光、現像の工程により、感光体ドラムに画像読取装置１０が読み取った原稿のトナー画像を形成する。用紙搬送部８３により搬送された用紙は、感光体ドラムに形成されたトナー像が転写され、定着処理が施された後に排出トレイ８８に排出される。また、画像形成部８４は、トナーを収容するトナーコンテナ（不図示）を備えている。トナーコンテナの壁面には、トナー残量検出センサー８４１が設けられている。トナー残量検出センサー８４１は、例えば渦電流式のセンサーであって、トナーがトナーコンテナの壁面に付与する圧力に応じた電圧信号を取得部１０３に出力する。
【００１６】
装置本体８０の筐体８１の前面には、操作部８５が配置されている。操作部８５は、例えば、画像読取ジョブの実行を指示するためのスタートキー等の複数の操作キー８５１を備えている。
【００１７】
図３は、本発明の一実施形態にかかる画像読取装置１０の構造を示す断面図である。画像読取装置１０は、画像読取部３０と、画像読取部３０の上方に配置された原稿搬送部２０とを備えている。
【００１８】
原稿搬送部２０は、原稿が載置される原稿載置台２１と、原稿載置台２１に載置された原稿を搬送する原稿搬送機構２２と、プラテンマット２３と、画像読み取り済みの原稿が排出される原稿排出部２４とを備えている。原稿搬送機構２２は、一対に配設された給紙ローラー２２１と分離コロ２２２とにより、原稿載置台２１に載置された複数の原稿を１枚ずつ繰り出し、当該繰り出した原稿を搬送ローラー２２３により後述するコンタクトガラス３２に向けて搬送する。コンタクトガラス３２に搬送された原稿は、後述する読取ユニット４０により読み取られる。原稿搬送機構２２は、排紙ローラー２２４により、画像読み取り済みの原稿を原稿排出部２４へ排出する。
【００１９】
また、上記の原稿搬送部２０は、コンタクトガラス３２の主面に対して開閉自在に設けられており、コンタクトガラス３２に載置された原稿を押さえる原稿押さえ部材としての役割も果たす。
【００２０】
原稿押さえ部材としての原稿搬送部２０が閉じられた状態で原稿搬送部２０に対向する画像読取部３０の筐体３１の面３１Ａには開口が設けられている。当該開口には、コンタクトガラス３２が装着されている。コンタクトガラス３２は、原稿搬送読取用の第１のコンタクトガラス３２１と原稿固定読取用の第２のコンタクトガラス３２２との２枚に分けられており、第１のコンタクトガラス３２１と第２のコンタクトガラス３２２との間に、読取ユニット４０により読み取られた原稿を第１のコンタクトガラス３２１から離間させて排出するための原稿離間部材３３が設けられている。
【００２１】
コンタクトガラス３２の原稿が載置される面（表面）とは反対側の面（裏面）側には、副走査方向に移動可能に設けられた読取ユニット４０が設けられている。原稿固定読取では、モーターやギア等からなる読取ユニット駆動部５０（図２参照）により読取ユニット４０が副走査方向に往復移動され、第２のコンタクトガラス３２２に載置された原稿が読み取られる。一方、原稿搬送読取では、読取ユニット駆動部５０により読取ユニット４０が第１のコンタクトガラス３２１の裏面における予め定められた位置に固定され、原稿搬送部２０により第１のコンタクトガラス３２１に向けて搬送された原稿が読み取られる。
【００２２】
読取ユニット４０は、ＬＥＤ（Light Emitting Diode）等の発光部４１により、赤、緑、青の３色の光を切り替えながら読取対象の原稿に向けて光を照射するとともに、ＣＭＯＳ（Complementary Metal Oxide Semiconductor）イメージセンサー等の不図示の受光部により原稿で反射された反射光を受光する。受光部は、受光した光を電気信号へ変換して、主走査方向の１ライン分の画像データを取得する。当該画像データは、画像形成装置１に内蔵されたＡ／Ｄ変換部によってディジタル信号化された後、さらにシェーディング補正、ガンマ補正、色収差補正、ＭＴＦ（Modulation Transfer Function）補正およびスキャナー色補正等の様々な画像処理が施される。そして、当該画像処理により生成された画像データは、画像形成装置１に内蔵された画像メモリーやＨＤＤに記憶される。
【００２３】
図４は、原稿搬送部２０が開かれた状態における本発明の一実施形態にかかる画像読取部３０を示す斜視図である。画像読取部３０の筐体３１の予め定められた箇所３４には、画像読取装置１０や画像形成装置１の状態を示すステータス情報を示す文字または記号が印されている。ステータス情報には、例えば、給紙部８２の給紙カセットに収容されている用紙の残量を示す情報、用紙搬送路中において発生したジャムの位置を示す情報、画像形成部８４のトナーコンテナに収容されているトナーの残量を示す情報等がある。図４に示す例では、これらの複数のステータス情報を示す文字が、筐体３１の面３１Ａに副走査方向に沿って間隔を隔てた複数箇所に印されている。図４中において、「ＰＥ」は、給紙部８２が用紙切れ（Paper Empty）状態であって、給紙部８２の給紙カセットに収容されている用紙の残量がない状態または用紙の残量が少ない状態を示す。また「ＴＥ」は、画像形成部８４がトナー切れ（Toner Empty）状態であって画像形成部８４のトナーコンテナに収容されているトナーの残量が無い状態またはトナーの残量が少ない状態を示す。また「Ｊ」は、用紙搬送路中においてジャム（Jam）が発生している旨を示し、「１」〜「４」の各数字は、用紙搬送路中において発生したジャムの位置を示す。
【００２４】
図２に戻って、画像形成装置１は、更に、制御ユニット１００を備えている。制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭまたはＨＤＤ等に記憶された制御プログラムが上記のＣＰＵに実行されることにより、制御部１０１、動作制御部１０２、取得部１０３、および受付部１０４として機能する。なお、制御ユニット１００の上記の各構成は、前述の制御プログラムに基づく動作によらず、それぞれハード回路により構成されてもよい。
【００２５】
制御部１０１は、画像形成装置１の全体的な動作制御を司る。制御部１０１は、画像読取装置１０、給紙部８２、用紙搬送部８３、画像形成部８４、および操作部８５等と接続されており、接続されている上記各機構の動作制御や、各機構との間での信号又はデータの送受信を行う。
【００２６】
取得部１０３は、画像読取装置１０や画像読取装置１０に接続された装置である画像形成装置１の状態を示すステータス情報を取得する機能を有する。具体的には取得部１０３は、用紙残量検出センサー８２１、ジャム検出センサー８３１、およびトナー残量検出センサー８４１等の各センサーから出力される信号を取得して当該取得した信号を解析することでステータス情報を取得する。
【００２７】
受付部１０４は、操作部８５の操作キー８５１等を用いて入力される画像読取ジョブの実行指示等を受け付ける機能を有する。
【００２８】
動作制御部１０２は、読取ユニット駆動部５０による読取ユニット４０の駆動動作および発光部４１による発光動作を制御する機能を有する。既述の通り、画像形成装置１は、複数の機能を兼ね備えた複合機であり、用紙に画像を形成する画像形成モードや原稿の画像を読み取る画像読取モード等の様々な動作モードを有している。動作制御部１０２は、画像形成装置１の動作モードが画像読取モードであり、画像読取ジョブの実行中においては、読取ユニット駆動部５０に読取ユニット４０を副走査方向に往復移動させながら発光部４１に光を照射させることで、読取ユニット４０に原稿の画像を読み取らせる。一方、画像形成装置１の動作モードが画像読取モードではなく、画像読取ジョブの非実行中において、動作制御部１０２は、読取ユニット駆動部５０に読取ユニット４０を予め定められた位置に移動させ、当該予め定められた位置に読取ユニット４０が位置する状態で発光部４１に光を照射させることで、取得部１０３が取得したステータス情報をユーザーに報知させる。以下では、このステータス情報報知処理の詳細を図５のフローチャートを用いて説明する。
【００２９】
図５は、本発明の一実施形態にかかる画像形成装置１のステータス情報報知処理の流れを示すフローチャートである。画像形成装置１の動作制御部１０２は、画像形成装置１の動作モードが画像読取モードであるか否かを判定する（ステップＳ１０）。画像形成装置１は、受付部１０４により画像読取ジョブの実行指示が受け付けられた場合に、動作モードが画像読取モードとなる。
【００３０】
動作モードが画像読取モードでない場合（ステップＳ１０においてＮＯ）、画像形成装置１はステップＳ１３以降の処理を行う。一方、動作モードが画像読取モードである場合（ステップＳ１０においてＹＥＳ）、動作制御部１０２は、画像読取処理を実行する（ステップＳ１１）。そして、画像読取処理の終了後となり（ステップＳ１２においてＹＥＳ）、画像形成装置１の動作モードが画像読取モードでなくなった場合にステップＳ１３以降の処理を行う。
【００３１】
ステップＳ１３の処理では、取得部１０３が用紙残量検出センサー８２１等から出力される信号に基づき、画像読取装置１０や画像形成装置１の状態を示すステータス情報を取得する。
【００３２】
その後、動作制御部１０２は、取得部１０３がステップＳ１３の処理で取得したステータス情報のうち、報知対象となるステータス情報が存在するか否かを判定する（ステップＳ１４）。ここで、報知対象となるステータス情報とは、ステータス情報のうち、画像読取部３０の筐体３１の予め定められた箇所に印された文字または記号が示す情報である。図４に示す例では、報知対象となるステータス情報には、用紙切れ状態、トナー切れ状態、およびジャム状態等のエラー状態を示すエラー情報が該当する。
【００３３】
例えば、取得部１０３が給紙部８２の給紙カセットに収容されている用紙の残量が予め定められた枚数以上であることを示すステータス情報を取得した場合、動作制御部１０２は、当該ステータス情報を報知対象となるステータス情報でないと判定する。一方、取得部１０３が給紙部８２の給紙カセットに収容されている用紙の残量が予め定められた枚数より少ないことを示すステータス情報を取得した場合、動作制御部１０２は、当該ステータス情報を報知対象となるステータス情報であると判定する。
【００３４】
報知対象となるステータス情報が存在しない場合（ステップＳ１４においてＮＯ）、画像形成装置１はステータス情報報知処理を終える。一方、報知対象となるステータス情報が存在する場合（ステップＳ１４においてＹＥＳ）、動作制御部１０２は当該報知対象となるステータス情報が複数存在するか否かを判定する（ステップＳ１５）。
【００３５】
報知対象となるステータス情報が複数存在する場合、（ステップＳ１５においてＹＥＳ）、複数のステータス情報のうち、報知優先度が最も高いステータス情報を特定する（ステップＳ１６）。ステータス情報には、ユーザーに報知する優先度を示す報知優先度が予め定められている。例えば、ジャム状態を示すステータス情報は、用紙切れ状態やトナー切れ状態を示すステータス情報よりも報知優先度が高く定められている。
【００３６】
報知対象となるステータス情報が１つである場合（ステップＳ１５においてＮＯ）、または、ステップＳ１６の処理で複数のステータス情報のうち報知優先度が最も高いステータス情報が特定された場合、動作制御部１０２は、１つのステータス情報または報知優先度が最も高いステータス情報を示す文字または記号が印された箇所に対応する位置に読取ユニット４０を読取ユニット駆動部５０に移動させる（ステップＳ１７）。例えば、報知対象となる複数のステータス情報のうち報知優先度が最も高いステータス情報がトナー切れ状態を示すステータス情報である場合、図４に示すように、読取ユニット駆動部５０に読取ユニット４０を「ＴＥ」が印された箇所に対向する位置に移動させる。
【００３７】
また、動作制御部１０２は、読取ユニット４０が上記の対応する位置に位置する状態で、発光部４１に光を照射させる（ステップＳ１７）。この場合、原稿搬送部２０が閉じられた状態では、原稿搬送部２０と画像読取部３０との隙間から発光部４１から照射された光が僅かに漏れ出る。これにより、画像形成装置１は、ユーザーに報知すべき何らかのステータス情報が存在することをユーザーに知らせることができる。原稿搬送部２０が開かれた状態では、図４に示すように、ユーザーにより読取ユニット４０の位置が視認されるため、画像形成装置１は、ユーザーに報知すべきステータス情報の内容をユーザーに知らせることができる。図４に示す例では、画像形成装置１は、トナーコンテナに収容されているトナーが不足していることをユーザーに報知することができる。
【００３８】
なお、ステップＳ１７の処理では、動作制御部１０２は、画像読取処理の実行中において発光部４１が照射する光よりも弱い強度の光を発光部４１に照射させる。これにより、ユーザーの目に強い強度の光が入射する事態を回避することができる。
【００３９】
また、ステップＳ１７の処理では、動作制御部１０２は、発光部４１の発光領域の全体から光を照射させるのではなく、発光部４１の発光領域のうちの一部の領域から光を照射させてもよい。例えば、動作制御部１０２は、発光部４１の発光領域のうち、主走査方向におけるステータス情報を示す文字または記号が印された箇所側の一端部の領域から発光部４１に光を照射させる。これにより、表示部によらない簡易な構成で装置の状態をユーザーに報知するという機能を確保しながら、ユーザーの目に入射する光の光量を抑えることができる。
【００４０】
上記の処理を換言すれば、動作制御部１０２は、ステータス情報を示す文字または記号が印された箇所に対応する位置に読取ユニット４０を移動させて発光部４１に光を照射させる処理を行う場合に、読取ユニット４０が画像読取動作中において発光部４１に光を照射させる場合と照射形態を異ならせて発光部４１に光を照射させている。このように、画像読取動作中と照射形態を異ならせて光を照射させることで、画像形成装置１が画像読取動作中ではなくステータス情報を報知する報知動作中であることをユーザーにより明確に報知することができる。
【００４１】
ステップＳ１７の処理後、動作制御部１０２は、取得部１０３が取得したステータス情報が変更されたか否かを判定する（ステップＳ１８）。ステータス情報が変更され（ステップＳ１８においてＹＥＳ）、報知対象となるステータス情報が存在しなくなった場合（ステップＳ１９においてＮＯ）、動作制御部１０２は、読取ユニット駆動部５０に読取ユニット４０をホームポジションに移動させるとともに、発光部４１に光の照射を停止させる（ステップＳ２０）。
一方、報知対象となるステータス情報が存在する場合（ステップＳ１９においてＹＥＳ）、ステップＳ１５の処理に戻り、動作制御部１０２は、残りのステータス情報を示す文字または記号が印された箇所に対応する位置に読取ユニット４０を読取ユニット駆動部５０に移動させる（ステップＳ１７）。
【００４２】
このように、本発明の一実施形態にかかる画像読取装置１０および画像形成装置１によれば、表示部が設けられていない場合や、表示部が設けられている場合であっても、そのサイズが小さく、ステータス情報を表示するのに適さない場合において、既存の画像読取装置の構成にＬＥＤ等の照明装置等を新たに追加することなく、装置の状態をユーザーに報知することができる。すなわち、本発明の一実施形態にかかる画像読取装置１０および画像形成装置１によれば、表示部によらない簡易な構成で装置の状態をユーザーに報知することができる。
【００４３】
なお、本発明は、上記の実施の形態の構成に限られず種々の変形が可能である。
【００４４】
＜変形例１＞
取得部１０３が取得したステータス情報の種別に応じて、動作制御部１０２が、照射形態を異ならせて発光部４１に光を照射させてもよい。例えば、変形例１にかかる画像読取装置１０および画像形成装置１では、動作制御部１０２が、ステータス情報が用紙切れ状態、トナー切れ状態、およびジャム状態等のエラー状態を示す情報である場合に発光部４１に点滅照射させる。一方、動作制御部１０２は、ステータス情報が用紙カセットに収容された用紙が予め定められた枚数以上ある状態や、トナーコンテナに収容されたトナーが予め定められた量以上ある状態等のエラー状態でない通常状態を示す情報である場合に発光部４１に点灯照射させる。これにより、ユーザーは、画像形成装置１や画像読取装置１０にエラーが発生しているか否かを一目で判別することができる。このように、変形例１にかかる画像読取装置１０および画像形成装置１によれば、ユーザーにより分かりやすい態様で、ステータス情報の種別を報知することができる。
【００４５】
なお、動作制御部１０２は、取得部１０３が取得したステータス情報の種別に応じて、発光部４１が発光する発光領域を異ならせたり、発光部４１が照射する光の色を異ならせたり、発光部４１が照射する光の強度を異ならせることで、発光部４１の照射形態を異ならせてもよい。
【００４６】
＜変形例２＞
上記の実施形態では、報知対象となるステータス情報が複数存在する場合に、動作制御部１０２が、報知優先度が最も高いステータス情報を示す文字または記号が印された箇所に対応する位置に読取ユニット４０を読取ユニット駆動部５０に移動させる場合を説明したが、本発明は必ずしもこの場合に限定されない。報知対象となるステータス情報が複数存在する場合に、動作制御部１０２は、当該ステータス情報を示す文字または記号が印された各箇所に対応する各位置に、読取ユニット４０を順番に読取ユニット駆動部５０に移動させるとしてもよい。
【００４７】
＜変形例３＞
図６は、変形例３にかかる画像読取装置１０を備えた画像形成装置１を示す斜視図である。変形例３にかかる画像読取装置１０では、筐体３１のうち、原稿搬送部２０が閉じられた状態で原稿搬送部２０により覆われない前面部分の予め定められた箇所３５に画像読取装置１０や画像形成装置１の状態を示すステータス情報を示す文字または記号が印されている。
【００４８】
変形例３にかかる画像読取装置１０は、ステータス情報を示す文字または記号が印された箇所に対応する位置に読取ユニット４０が位置する場合に、発光部４１から照射された光が、当該位置に対応するステータス情報を示す文字または記号が印された箇所付近から漏れ出るように構成される。例えば、読取ユニット４０が「ＴＥ」が印された箇所に対応する位置に位置する場合に、発光部４１から照射された光は、原稿搬送部２０と画像読取部３０との間の隙間３６Ｂから漏れ出る。また、読取ユニット４０が「ＰＥ」が印された箇所に対応する位置に位置する場合に、発光部４１から照射された光は、原稿搬送部２０と画像読取部３０との間の隙間３６Ａから漏れ出る。これにより、変形例３にかかる画像読取装置１０および画像形成装置１では、ユーザーが原稿搬送部２０を開かず原稿搬送部２０が閉じられた状態において、ステータス情報の内容をユーザーに報知することができる。
【００４９】
＜変形例４＞
図７は、変形例４にかかる画像読取装置１０を備えた画像形成装置１を示す斜視図である。変形例４にかかる画像読取装置１０では、変形例３と同様に、原稿搬送部２０が閉じられた状態で原稿搬送部２０により覆われない筐体３１の前面部分の予め定められた箇所３５に画像読取装置１０や画像形成装置１の状態を示すステータス情報を示す文字または記号が印されている。
【００５０】
また筐体３１の前面部分には、原稿搬送部２０が閉じられた状態において読取ユニット４０が予め定められた位置に位置する場合に、発光部４１が照射した光の一部を装置外部に逃す開口部３７が複数設けられている。既述のとおり、各開口部３７が形成された位置に対応する各箇所には、ステータス情報を示す文字または記号が印されているため、変形例４にかかる画像読取装置１０および画像形成装置１では、変形例３と同様に、ユーザーが原稿搬送部２０を開かず原稿搬送部２０が閉じられた状態において、ステータス情報の内容をユーザーに報知することができる。
【００５１】
＜変形例５＞
上記の実施の形態で示したステータス情報の内容は、一例であり、本発明は必ずしもこの場合に限定されない。例えば、画像形成装置１に後処理装置が接続されている場合には、後処理装置のステープラー内に収容されているステープル針の残量を示す情報をステータス情報として報知してもよい。
【符号の説明】
【００５２】
１     画像形成装置
１０   画像読取装置
２０   原稿搬送部
３０   画像読取部
３１   筐体
３２   コンタクトガラス
４０   読取ユニット
４１   発光部
５０   読取ユニット駆動部
８０   装置本体
８１   筐体
８２   給紙部
８３   用紙搬送部
８４   画像形成部
８５   操作部
１００ 制御ユニット
１０１ 制御部
１０２ 動作制御部
１０３ 取得部
１０４ 受付部
８２１ 用紙残量検出センサー
８３１ ジャム検出センサー
８４１ トナー残量検出センサー
【図１】
2016032218.tif 000003
【図２】
2016032218.tif 000004
【図３】
2016032218.tif 000005
【図４】
2016032218.tif 000006
【図５】
2016032218.tif 000007
【図６】
2016032218.tif 000008
【図７】
2016032218.tif 000009